(57)【要約】【課題】リール台の回転を、回転を伝達すべき部材に正確に伝える。【解決手段】記録装置は、インクシート62を巻き取る巻取りローラ7を具えたインクカートリッジ6が挿入される装置本体3を具え、該装置本体3内に巻取りローラ7に係合するリール台1を具え、該リール台1は周面に巻取りローラ7に係合すべき複数の突条20、20a、20bを設け、各突条20、20a、20bは先端部に先端が尖ったテーパ面21と、該テーパ面21に繋がり側面が巻取りローラ7に接するストレート部22を具えている。何れか１つの突条20は、ストレート部22の長さＹ１が他の突条20a、20bに略等しく、且つストレート部22に沿うテーパ面21の長さＹ２が、他の突条20a、20bのテーパ面21の長さＹ３よりも長く形成されている。【選択図】図７
2005096161.tif 000002
【特許請求の範囲】
【請求項１】
被係合部材に対向してリール爪(２)を設け、リール爪(２)の周面に被係合部材に係合すべき複数の突条(20)(20a)(20b)を設け、各突条(20)(20a)(20b)は先端部に先端が尖ったテーパ面(21)と、該テーパ面(21)に繋がり側面が被係合部材に接するストレート部(22)を具えたリール台に於いて、
何れか１つの突条(20)は、ストレート部(22)の長さＹ１が他の突条(20a)(20b)に略等しく、且つストレート部(22)に沿うテーパ面(21)の長さＹ２が、他の突条(20a)(20b)のテーパ面(21)の長さＹ３よりも長く形成されたことを特徴とするリール台。
【請求項２】
インクシート(62)を巻き取る巻取りローラ(７)を具えたインクカートリッジ(６)が挿入される装置本体(３)を具え、該装置本体(３)内に巻取りローラ(７)に係合するリール台(１)を具え、該リール台(１)は周面に巻取りローラ(７)に係合すべき複数の突条(20)(20a)(20b)を設け、各突条(20)(20a)(20b)は先端部に先端が尖ったテーパ面(21)と、該テーパ面(21)に繋がり側面が巻取りローラ(７)に接するストレート部(22)を具えた記録装置に於いて、
何れか１つの突条(20)は、ストレート部(22)の長さＹ１が他の突条(20a)(20b)に略等しく、且つストレート部(22)に沿うテーパ面(21)の長さＹ２が、他の突条(20a)(20b)のテーパ面(21)の長さＹ３よりも長く形成されたことを特徴とする記録装置。
【発明の詳細な説明】
【技術分野】
【０００１】
本発明は、被係合部材を回転させるリール台、及び該リール台を用いた記録装置、具体的には熱を利用してインクカートリッジから記録紙に印刷する熱転写記録装置、熱昇華型記録装置のような熱式記録装置に関する。
【背景技術】
【０００２】
パーソナルコンピュータやデジタルカメラの画像データを、記録紙に印刷するものとして、熱転写記録装置や熱昇華型記録装置のような熱式記録装置が提案されている。かかる熱式記録装置にて、画像を記録紙に印刷するのに、図８に示すインクカートリッジ(６)が用いられる。以下では、熱昇華型記録装置を例示する。
これは、カートリッジ本体(60)内に、巻取りローラ(７)と供給ローラ(61)を離間して設け、両ローラ(61)(７)間にインクシート(62)が懸架されている。カートリッジ本体(60)上にて両ローラ(61)(７)間には、後記のサーマルヘッド(５)の進入を許す開口(63)が開設されている。
図９は、両ローラ(61)(７)を示す斜視図である。インクシート(62)上には、イエロー(Ｙ)、マゼンタ(Ｍ)、シアン(Ｃ)の３色のインクが巻き取り方向に沿って塗り分けられており、該インクシート(62)の下側にプラテンローラ(４)が配備される。インクシート(62)の上からは、インクシート(62)を加熱するサーマルヘッド(５)が配備され、インクシート(62)とプラテンローラ(４)との間には、インクシート(62)上のインクが転写されプラテンローラ(４)によって搬送される記録紙(40)がインクシート巻き取り方向と平行に移動可能に配備される。記録紙(40)の上流側又は下流側には、挟持ローラ(図示せず)が設けられ、記録紙(40)は該ローラによって張った状態でプラテンローラ(４)に搬送される。サーマルヘッド(５)は、画像処理回路(50)に繋がり、該画像処理回路(50)からイエロー、マゼンタ、シアンの各色に対応した画像情報がサーマルヘッド(５)に送られる。
【０００３】
印刷時には、プラテンローラ(４)を回転させて、記録紙(40)上の最初に記録すべき位置にサーマルヘッド(５)を対向させる。巻取りローラ(７)を回転させて、先ずイエローの先頭位置とサーマルヘッド(５)を対向させる。サーマルヘッド(５)をインクシート(62)に接近させ、且つサーマルヘッド(５)を加熱する。
サーマルヘッド(５)には、先ずイエローに対応した画像情報が送られる。サーマルヘッド(５)が加熱されているから、インクシート(62)が加熱され、イエローのインクが昇華する。巻取りローラ(７)及びプラテンローラ(４)をインクシート(62)の送り方向に回転させると、画像情報のイエロー成分が記録紙(40)に印刷される。イエロー成分の印刷が終了すると、サーマルヘッド(５)をプラテンローラ(４)から離間させ、プラテンローラ(４)を逆転させ、記録紙(40)を元の位置に戻す。次に、マゼンタに対応した画像情報をサーマルヘッド(５)に送り、巻取りローラ(７)及びプラテンローラ(４)をインクシート(62)の送り方向に回転させる。マゼンタ成分の画像情報が記録紙(40)上に印刷される。以下、同様にしてシアンに対応した画像情報が記録紙(40)上に印刷される。印刷が終了すると、サーマルヘッド(５)をプラテンローラ(４)から離間させ、プラテンローラ(４)を回転させて、記録紙(40)を排出する。尚、プラテンローラ(４)に記録紙(40)を巻き付けて、該プラテンローラ(４)を回転して、イエロー、マゼンタ、シアンの画像情報を順に印刷し、記録紙(40)を往復移動させない構成も知られている(例えば、特許文献１参照)。
【０００４】
図１０は、巻取りローラ(７)を回転させる機構の平面図である(例えば、特許文献２参照)。前記インクカートリッジ(６)は装置本体(３)の側板(31)に開設された透孔(30)から、装置本体(３)内に挿入される。装置本体(３)の奥部には、巻取りローラ(７)の端面に嵌まるリール台(１)が設けられている。リール台(１)は、図１１に示すように、装置本体(３)の側板(31)に設けられた枢軸(34)にスライド可能に嵌められており、枢軸(34)に嵌められた圧縮バネ(35)によりインクカートリッジ(６)に向けて付勢される。
リール台(１)の構成には種々のものが考えられるが、例えば軸体(14)上に、リール爪(２)、圧縮バネ(10)、巻取りギア(11)を具え、リール爪(２)と巻取りギア(11)は一体に回転する(例えば、特許文献３参照)。巻取りギア(11)の両側には、押え板(12)(12)及びフェルト(13)(13)が設けられ、圧縮バネ(10)、押え板(12)(12)及びフェルト(13)(13)にて周知のスリップ機構を構成する。リール爪(２)の周面には３つの第１突条(20)(20)(20)が設けられており、各第１突条(20)は、先端部に先端が尖ったテーパ面(21)と、テーパ面(21)に繋がったストレート部(22)を設けている。ストレート部(22)及びストレート部(22)に沿うテーパ面(21)の長さは、３つの第１突条(20)(20)(20)とも等しく形成されている。巻取りギア(11)はモータ駆動されて、リール台(１)が回転する。リール台(１)はスリップ機構により、一定トルクで巻取りローラ(７)を回転させる。
【０００５】
図１２は、巻取りローラ(７)を図１０のＡ方向から見た図である。巻取りローラ(７)内には、リール台(１)の第１突条(20)と側面どうしが接する第２突条(70)(70)(70)が３つ設けられ、巻取りローラ(７)はインクカートリッジ(６)内に開設された中空部(64)に、半径方向にガタを持って嵌まる。
第２突条(70)は先端が尖っており、インクカートリッジ(６)をリール台(１)に向けて挿入すると、第２突条(70)と第１突条(20)の先端が互いに接した後に、第２突条(70)が第１突条(20)の先端テーパ面に沿って移動し、第１突条(20)とは側面どうしが接して係合する。
リール台(１)が巻取りローラ(７)に嵌まった状態では、図１３(a)に示すように、各第２突条(70)は第１突条(20)の同じ側、図１３(a)では反時計方向側に接する。これにより、リール台(１)が回転すれば、巻取りローラ(７)が回転して、インクシート(62)を巻き取る。
【特許文献１】特許第３４０４６９９号(図１)
【特許文献２】特開平５−１１２０４８号公報(図２)
【特許文献３】特開平５−３０５７５９号公報(図６)
【発明の開示】
【発明が解決しようとする課題】
【０００６】
前記の如く、巻取りローラ(７)はインクカートリッジ(６)内に、半径方向にガタを持って嵌まる。従って、第２突条(70)と第１突条(20)の先端が互いに接した後に、巻取りローラ(７)がガタ付くと、図１３(b)にＢで示すように、何れか１つの第２突条(70)だけが、他の第２突条(70)とは、第１突条(20)に対して反対側の側面に接する虞れがある。これでは、リール台(１)の回転が、巻取りローラ(７)に正しく伝達されず、巻取り動作が安定しない。特に、インクカートリッジ(６)の挿入姿勢が傾いていると、図１３(b)に示す状態が生じ得る。
本発明の目的は、リール台(１)の回転を、回転を伝達すべき部材に正確に伝えることにある。
【課題を解決するための手段】
【０００７】
記録装置は、インクシート(62)を巻き取る巻取りローラ(７)を具えたインクカートリッジ(６)が挿入される装置本体(３)を具え、該装置本体(３)内に巻取りローラ(７)に係合するリール台(１)を具え、該リール台(１)は周面に巻取りローラ(７)に係合すべき複数の突条(20)(20a)(20b)を設け、各突条(20)(20a)(20b)は先端部に先端が尖ったテーパ面(21)と、テーパ面(21)に繋がり側面が巻取りローラ(７)に接するストレート部(22)を具えている。
何れか１つの突条(20)は、ストレート部(22)の長さＹ１が他の突条(20a)(20b)に略等しく、且つストレート部(22)に沿うテーパ面(21)の長さＹ２が、他の突条(20a)(20b)のテーパ面(21)の長さＹ３よりも長く形成されている。
【発明の効果】
【０００８】
リール台(１)の複数の突条(20)(20a)(20b)は、ストレート部(22)の長さＹ１は全て略等しい。従って、巻取りローラ(７)に接して係合する部分の長さは、全て等しく、巻取りローラ(７)とは安定して係合できる。
また、何れか１つの突条(20)は、ストレート部(22)に沿うテーパ面(21)の長さＹ２が、他の突条(20a)(20b)のテーパ面(21)の長さＹ３よりも長く形成されている。従って、図７(a)に示すように、該１の突条(20)のテーパ面(21)が巻取りローラ(７)(の第２突条(70))に接しても、図７(b)に示すように、他の突条(20a)(20b)はまだ巻取りローラ(７)(の第２突条(70))に接していない。リール台(１)は１の突条(20)のテーパ面(21)が巻取りローラ(７)(の第２突条(70))に接することにより稍回転し、インクカートリッジ(６)を更に挿入すると、他の突条(20a)(20b)の側面は、巻取りローラ(７)(の第２突条(70))に正しく接する。即ち、１の突条(20)が、他の突条(20a)(20b)が巻取りローラ(７)に正しく係合するように、案内する。これにより、リール台(１)が巻取りローラ(７)に正しく係合し、リール台(１)の回転が巻取りローラ(７)に正しく伝達される。即ち、巻取り動作が安定する。
【発明を実施するための最良の形態】
【０００９】
以下、本発明の一例を詳説する。
(全体構成)
図１は、熱式記録装置の分解斜視図である。装置本体(３)の側板(31)には、インクカートリッジ(６)が挿入される透孔(30)が開設され、該透孔(30)の下方にはプラテンローラ(４)及び給紙トレイ(８)が配備される。インクカートリッジ(６)の内部構成は、図８に示すものと略同じである。
装置本体(３)内にて、透孔(30)の上方には、サーマルヘッド(５)を具えヒートシンクでもある支持板(51)が揺動可能に設けられ、周知の如く、サーマルヘッド(５)がインクカートリッジ(６)内のインクシート(62)を加熱して、インクを昇華させて、記録紙(40)に印刷する。
装置本体(３)の奥部には、リール台(１)を具えた巻取りローラ駆動ユニット(32)が設けられる。巻取りローラ駆動ユニット(32)は、モータ(Ｍ)及びリール台(１)に噛合するギア列(33)を具え、モータ(Ｍ)に通電すると、リール台(１)が回転する。巻取りローラ駆動ユニット(32)上には、３つのスイッチ(ＳＷ1)(ＳＷ2)(ＳＷ3)が設けられ、１のスイッチ(ＳＷ1)はインクカートリッジ(６)の挿入完了検出用であり、他の２つのスイッチ(ＳＷ2)(ＳＷ3)はインクカートリッジ(６)の種類検出用である。
図２は、図１の正面図であり、全体構成の概略を示す。また、図３は、プラテンローラ(４)の正面図である。給紙トレイ(８)内の記録紙(40)は、ピックアップローラ(80)により１枚ずつ取り出されて、前記の特許文献１に開示されたのと同様に、プラテンローラ(４)には記録紙(40)が巻き付けられる。該プラテンローラ(４)を回転して、インクシート(62)をサーマルヘッド(５)にて加熱しながら巻取りローラ(７)によって搬送し、イエロー、マゼンタ、シアンの画像情報を順に記録紙(40)に印刷する。印刷が完了すると、搬送ローラ(81)により、装置本体(３)の上端部に形成された排出部(39)から排出される。
【００１０】
図４(a)は、リール台(１)の平面図であり、図４(b)は、リール台(１)のリール爪(２)の正面図である。図４(b)は、図１に示すリール爪(２)とは９０度違えて図示している。尚、リール台(１)の全体構成、即ちリール爪(２)、圧縮バネ(10)、巻取りギア(11)を具えた点は、図１１に示すリール台(１)と同じであり、本願はリール爪(２)に特徴がある。
図４(b)に示すように、リール爪(２)の周面には、巻取りローラ(７)内の第２突条(70)(70)(70)(図１２参照)に接すべき３つの第１突条(20)(20a)(20b)が形成されている。第１突条(20)(20a)(20b)は何れも先端部に先端が尖ったテーパ面(21)と、テーパ面(21)に繋がり側面が巻取りローラ(７)に接するストレート部(22)を具えている。ストレート部(22)の長さＹ１は、何れの第１突条(20)(20a)(20b)も等しい。
図５及び図６(a)は、各第１突条(20)(20a)(20b)の拡大図である。１の第１突条(20)は、ストレート部(22)に沿うテーパ面(21)の長さＹ２が、他の第１突条(20a)(20b)のテーパ面(21)の長さＹ３よりも長く形成されている。ストレート部(22)の長さＹ１は、何れの第１突条(20)(20a)(20b)とも等しく、各第１突条(20)(20a)(20b)とも幅は等しい。従って、１の第１突条(20)のテーパ面(21)の先端角αは鋭角であり、他の第１突条(20a)(20b)のテーパ面(21)の先端角βは鈍角である。
仮に、他の第１突条(20a)のテーパ面(21)の先端角を、図６(b)に示すように、鋭角αとすると、ストレート部(22)の長さが短くなる。これでは、巻取りローラ(７)内の第２突条(70)との係り代が少なくなり、安定して巻取りローラ(７)を回転させることができないので、ストレート部(22)の長さＹ１は、何れの第１突条(20)(20a)(20b)とも等しく形成している。
【００１１】
(リール台と巻取りローラの係合動作)
インクカートリッジ(６)を透孔(30)に挿入すると、、リール台(１)の第１突条(20)(20a)(20b)と巻取りローラ(７)内の第２突条(70)(70)(70)とが係合する。この動作を以下に示す。
１の第１突条(20)は、ストレート部(22)に沿うテーパ面(21)の長さＹ２が、他の第１突条(20a)(20b)のテーパ面(21)の長さＹ３よりも長く形成されている。従って、図７(a)に示すように、該１の第１突条(20)のテーパ面(21)が巻取りローラ(７)の第２突条(70)に接しても、図７(b)に示すように、他の第１突条(20a)(20b)はまだ巻取りローラ(７)の第２突条(70)に接していない。リール台(１)は１の第１突条(20)のテーパ面(21)が巻取りローラ(７)の第２突条(70)に接することにより稍回転、即ち巻取りギア(11)とギア列(33)のガタ分だけ回転する。インクカートリッジ(６)を更に挿入すると、他の第１突条(20a)(20b)の側面は、巻取りローラ(７)の第２突条(70)に正しく接して係合する。即ち、１の突条(20)は、他の突条(20a)(20b)が巻取りローラ(７)に正しく係合するように、巻取りローラ(７)を案内する。これにより、リール台(１)が巻取りローラ(７)に正しく係合し、リール台(１)の回転が巻取りローラ(７)に正しく伝達される。即ち、巻取り動作が安定する。
【００１２】
本例では、熱式記録装置として熱昇華型記録装置を例示したが、熱転写記録装置でもよい。また、リール台(１)は熱式記録装置に用いるものに限定されず、例えばビデオデッキのような磁気記録装置に用いてもよい。更に、第１突条(20)(20a)(20b)は３つに限定されず、４つ以上でもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１４】
【図１】熱式記録装置の分解斜視図である。
【図２】図１の正面図である。
【図３】プラテンローラの正面図である。
【図４】(a)は、リール台の平面図であり、(b)は、リール台のリール爪の正面図である。
【図５】１の第１突条の拡大図である。
【図６】(a)は他の第１突条の拡大図であり、(b)は望ましくない第１突条の拡大図である。
【図７】(a)、(b)は、リール台の第１突条と巻取りローラ内の第２突条とが係合する状態を示す図である。
【図８】インクカートリッジの斜視図である。
【図９】両ローラを示す斜視図である。
【図１０】巻取りローラを回転させる機構の平面図である。
【図１１】従来のリール台の側面図である。
【図１２】巻取りローラを図１０のＡ方向から見た図である。
【図１３】第１突条と第２突条の係合状態を示す図であり、(a)は正しい状態を、(b)は誤った状態を夫々示す。
【符号の説明】
【００１５】
(１)  リール台
(２)  リール爪
(３)  装置本体
(７)  巻取りローラ
(20)  第１突条
(21)  テーパ面
(22)  ストレート部
【図１】
2005096161.tif 000003
【図２】
2005096161.tif 000004
【図３】
2005096161.tif 000005
【図４】
2005096161.tif 000006
【図５】
2005096161.tif 000007
【図６】
2005096161.tif 000008
【図７】
2005096161.tif 000009
【図８】
2005096161.tif 000010
【図９】
2005096161.tif 000011
【図１０】
2005096161.tif 000012
【図１１】
2005096161.tif 000013
【図１２】
2005096161.tif 000014
【図１３】
2005096161.tif 000015